(57)【要約】      （修正有）【課題】コストを掛けることなく、紙製の部材のみでディスク状記録媒体を確実に保持できるようにし、再利用や焼却に適したディスク状記録媒体用の紙製ケースを提供する。【解決手段】裏板紙１１、中板紙１２及び表板紙１３を重ねて貼り合わせてディスク状記録媒体用の紙製ケース１０を形成する。裏板紙１１は、表面中央部にディスク状記録媒体の内縁部を載置する凸部１１ａを有する。ディスク状記録媒体の厚さに対応した厚さを有する中板紙１２は、ディスク状記録媒体の外径より大きな内径の中板円形状切抜部を有する。表板紙１３は、ディスク状記録媒体の外径より大きく、かつ、中板円形状切抜部の内径より小さな内径の表板円形状切抜部１３ｂを有する。表板円形状切抜部１３ｂの半周分以下の範囲に、表板円形状切抜部の内周側に突出してディスク状記録媒体の外縁部を保持する保持片１３ｃを形成する。【選択図】図１
0003162134.tif 000002
【実用新案登録請求の範囲】
【請求項１】
ディスク状記録媒体の外径より大きな形状の裏板紙、中板紙及び表板紙の三枚を、この順序で重ねて貼り合わせたディスク状記録媒体用の紙製ケースであって、前記裏板紙は、表面中央部にディスク状記録媒体の内縁部を載置する凸部を有し、ディスク状記録媒体の厚さに対応した厚さを有する前記中板紙は、ディスク状記録媒体の外径より大きな内径の中板円形状切抜部を有し、前記表板紙は、ディスク状記録媒体の外径より大きく、かつ、前記中板円形状切抜部の内径より小さな内径の表板円形状切抜部を有し、裏板紙、中板紙及び表板紙を重ねて貼り合わせた状態で、前記凸部に内縁部を載置したディスク状記録媒体が前記中板円形状切抜部及び前記表板円形状切抜部の内周側に収納可能に形成されるとともに、前記表板円形状切抜部の半周分以下の範囲には、表板円形状切抜部の内周側に突出してディスク状記録媒体の外縁部を保持する保持片が形成され、前記中板円形状切抜部及び前記表板円形状切抜部の前記保持片に対向する位置には、中板円形状切抜部及び表板円形状切抜部の外周側に連続してディスク状記録媒体の外縁部に指掛可能な形状の指掛用切抜部が形成され、前記中板円形状切抜部は、前記指掛用切抜部側の半周の内径に対して前記保持片側の半周の内径が大きく形成されていることを特徴とするディスク状記録媒体用の紙製ケース。
【考案の詳細な説明】
【技術分野】
【０００１】
本考案は、ＣＤやＤＶＤといったディスク状記録媒体用の紙製ケースに係り、詳しくは、再生や焼却に適し、自然環境に配慮したディスク状記録媒体用の紙製ケースに関する。
【背景技術】
【０００２】
従来、ディスク状記録媒体用の紙製ケースでは、ディスク状記録媒体を保持するために、ディスク状記録媒体の中心孔に係合する合成樹脂製のディスク保持部材が台紙に取り付けられているものがあるが、この紙製ケースを再生紙として再利用する際には、ディスク保持部材を取り外さなくてはならないことから手間が掛かっていた。このため、ディスク状記録媒体の内縁部が載置される台紙の位置に、粘着材をリング状に取り付け、粘着材によりディスク状記録媒体を保持するようにしたものがあった（例えば、特許文献１参照。）。
【先行技術文献】
【特許文献】
【０００３】
【特許文献１】特開平２００１−１６３３８９号公報
【考案の概要】
【考案が解決しようとする課題】
【０００４】
しかし、上述の紙製ケースでは、ディスク状記録媒体を紙製ケースから取り外した際には、粘着材が剥き出しになることから、粘着材が汚れて粘着力が低下しやすく、また、製造工程が増えることからコストが嵩むことがあった。さらに、ディスク状記録媒体の内縁部に粘着材が付着して、ディスク状記録媒体が取り扱いにくくなることもあった。
【０００５】
そこで本考案は、コストを掛けることなく、紙製の部材のみでディスク状記録媒体を確実に保持できるようにし、再利用や焼却に適したディスク状記録媒体用の紙製ケースを提供することを目的としている。
【課題を解決するための手段】
【０００６】
上記の目的を達成するため本考案のディスク状記録媒体用の紙製ケースは、ディスク状記録媒体の外径より大きな形状の裏板紙、中板紙及び表板紙の三枚を、この順序で重ねて貼り合わせたディスク状記録媒体用の紙製ケースであって、前記裏板紙は、表面中央部にディスク状記録媒体の内縁部を載置する凸部を有し、ディスク状記録媒体の厚さに対応した厚さを有する前記中板紙は、ディスク状記録媒体の外径より大きな内径の中板円形状切抜部を有し、前記表板紙は、ディスク状記録媒体の外径より大きく、かつ、前記中板円形状切抜部の内径より小さな内径の表板円形状切抜部を有し、裏板紙、中板紙及び表板紙を重ねて貼り合わせた状態で、前記凸部に内縁部を載置したディスク状記録媒体が前記中板円形状切抜部及び前記表板円形状切抜部の内周側に収納可能に形成されるとともに、前記表板円形状切抜部の半周分以下の範囲には、表板円形状切抜部の内周側に突出してディスク状記録媒体の外縁部を保持する保持片が形成され、前記中板円形状切抜部及び前記表板円形状切抜部の前記保持片に対向する位置には、中板円形状切抜部及び表板円形状切抜部の外周側に連続してディスク状記録媒体の外縁部に指掛可能な形状の指掛用切抜部が形成され、前記中板円形状切抜部は、前記指掛用切抜部側の半周の内径に対して前記保持片側の半周の内径が大きく形成されていることを特徴としている。
【考案の効果】
【０００７】
本考案は上述のように、紙製の部材のみで紙製ケースを形成することにより、再生紙とする際には、簡単に水処理することができ、また、焼却する際にも有害物質を発生させることなく簡単に処理できる。さらに、保持片によりディスク状記録媒体を確実に保持することができると共に、指掛用切抜部に指をかけて、ディスク状記録媒体を簡単に紙製ケースから取り出すことができる。また、裏板紙に、ディスク状記録媒体の内縁部を載置する凸部を形成したことにより、ディスク状記録媒体の記録面と裏板紙とが接触することがなく、記録面が裏板紙によって傷つけられる虞がない。さらに、中板円形状切抜部は、指掛用切抜部側の半周の内径に対して保持片側の半周の内径が大きく形成されていることから、ディスク状記録媒体を紙製ケースに出し入れしやすい。
【図面の簡単な説明】
【０００８】
【図１】本考案の第１形態例を示す紙製ケースの分解斜視図である。
【図２】同じく紙製ケースの正面図である。
【図３】図２のIII-III断面図である。
【図４】本考案の第２形態を示す紙製ケースの斜視図である。
【考案を実施するための形態】
【０００９】
図１乃至図３は、本考案の第１形態例を示すもので、ディスク状記録媒体用の紙製ケース１０は、ディスク状記録媒体を載置する裏板紙１１と、該裏板紙１１上に貼着する中板紙１２と、該中板紙１２上に貼着する表板紙１３とで形成される。裏板紙１１は、直径１２０ｍｍのディスク状記録媒体よりも大きな長方形状の厚紙で形成され、ディスク状記録媒体の内縁部が載置される直径４０ｍｍの円形の凸部１１ａが、エンボス加工により中央部に形成されている。
【００１０】
中板紙１２は、裏板紙１１の縦・横寸法と同一で、かつ、ディスク状記録媒体の厚さに対応する１ｍｍの厚さを有する長方形状の厚紙で形成され、ディスク状記録媒体の外径よりも大きな内径１２３ｍｍ以上の中板円形状切抜部１２ａと、該中板円形状切抜部１２ａの上部外周側に連続する矩形の中板指掛用切抜部１２ｂとが型抜きして形成されている。また、中板円形状切抜部１２ａは、中板指掛用切抜部側の半周の内径に対して保持片側の半周の内径が約１ｍｍ程度大きく形成されている。
【００１１】
表板紙１３は、裏板紙１１の縦・横寸法と同一で、中板紙１２よりも薄い長方形状の厚紙で形成され、ディスク状記録媒体の外径より大きく、かつ、前記中板円形状切抜部１２ａの内径より小さな内径１２１ｍｍの表板円形状切抜部１３ａと、該表板円形状切抜部１３ａの上部外周側に連続し、前記中板指掛用切抜部１２ｂよりも僅かに小さな矩形の表板指掛用切抜部１３ｂとが型抜きして形成されている。さらに、表板円形状切抜部１３ｂの下部の半周分以下の範囲に、表板円形状切抜部１３ａの内周側に５ｍｍ幅で突出し、ディスク状記録媒体の外縁部を保持する円弧状の保持片１３ｃが形成されている。
【００１２】
このように形成された裏板紙１１と中板紙１２と表板紙１３とは、裏板紙１１の上部にまず中板紙１２が貼着され、貼着された中板紙１２の上部に表板紙１３が貼着されて紙製ケース１０が形成され、裏板紙１１と中板円形状切抜部１２ａと保持片１３ｃとが重合して、ディスク状記録媒体の下半部外周側を収容するポケット部１４が形成される。さらに、中板指掛用切抜部１２ｂと表板指掛用切抜部１３ｂとが重合して、指掛用切抜部１５が形成される。
【００１３】
ディスク状記録媒体を紙製ケース１０に収容する際には、記録面を裏板紙１１側に向けてディスク状記録媒体の下半部外周側をポケット部１４に差し込むことにより、ディスク状記録媒体を簡単に紙製ケース１０に保持させることができる。ディスク状記録媒体を紙製ケース１０に保持させた状態では、裏板紙１１の凸部１１ａとディスク状記録媒体の内縁部とが当接するのみで、ディスク状記録媒体の記録面と裏板紙１１とが接触することがないことから、記録面が裏板紙によって傷つけられる虞がない。さらに、ディスク状記録媒体を紙製ケース１０から取り出す際には、指掛用切抜部１５に指をかけてディスク状記録媒体の上半部外周側を外側に押し出し、下半部外周側をポケット部１４から取り出すことにより、簡単に紙製ケース１０から取り出すことができる。また、紙製ケース１０は、紙以外の部品が取り付けられていないので、再生紙とする際には、簡単に水処理することができ、また、焼却する際にも有害物質を発生させることなく簡単に処理でき、自然環境に配慮したものとなっている。さらに、中板円形状切抜部１２ａは、中板指掛用切抜部側の半周の内径に対して保持片側の半周の内径が約１ｍｍ程度大きく形成されていることから、ディスク状記録媒体を紙製ケース１０に出し入れしやすい。
【００１４】
図４は本考案の第２形態例を示すもので、第１形態例と同様の構成要素を示すものには、同一の符号を付して、その詳細な説明は省略する。
【００１５】
本形態例は、ブックタイプの紙製ケース２０で、厚さ１ｍｍの厚紙で形成した長方形状のケース部２１の中央に、ヒンジ部２２を形成し、該ヒンジ部の一方に表表紙２３を、他方に裏表紙２４を連設し、裏表紙２４の内側面に、前記第１形態例の紙製ケース１０が貼着された状態となっている。これにより、ディスク状記録媒体のレーベル面が傷付くことも防止できる。
【００１６】
尚、本考案は、ケース部の表表紙と裏表紙の双方に、前記裏板紙と中板紙と表板紙とを順に貼着して、２枚のディスク状記録媒体を収容できるようにしても良い。また、ケース部の形状、大きさや、裏板紙や中板紙や表板紙の外形は任意であり、長方形状に限るものではない。
【符号の説明】
【００１７】
１０…紙製ケース、１１…裏板紙、１１ａ…凸部、１２…中板紙、１２ａ…中板円形状切抜部、１２ｂ…中板指掛用切抜部、１３…表板紙、１３ａ…表板円形状切抜部、１３ｂ…表板指掛用切抜部、１３ｃ…保持片、１４…ポケット部、１５…指掛用切抜部、２０…紙製ケース、２１…ケース部、２２…ヒンジ部、２３…表表紙、２４…裏表紙
【図１】
0003162134.tif 000003
【図２】
0003162134.tif 000004
【図３】
0003162134.tif 000005
【図４】
0003162134.tif 000006